(57)【要約】【課題】グループ通話の受信端末における音声信号の再生に関する処理を適切に決定する技術を提供する。【解決手段】入力部７０は、所定のグループへの音声信号の送信要求を受けつける。決定部７４は、入力部７０において送信要求を入力すると、所定のグループに属する複数の端末装置から、送信要求を出力した端末装置を除いた受信対象の端末装置間の距離をもとに、受信対象の端末装置における音声信号の再生に関する処理を決定する。出力部７６は、決定部７４において決定した内容を出力する。【選択図】図４
2018148329.tif 000002
【特許請求の範囲】
【請求項１】
所定のグループへの音声信号の送信要求を受けつける入力部と、
所定のグループに属する複数の端末装置から、送信要求を出力した端末装置を除いた受信対象の端末装置間の距離をもとに、受信対象の端末装置における前記音声信号の再生に関する処理を決定する決定部と、
を備えることを特徴とする決定装置。
【請求項２】
前記決定部は、受信対象の端末装置における前記音声信号の再生に関する処理として、音声信号を再生するために当該音声信号を受信すべき受信対象の端末装置を決定することを特徴とする請求項１に記載の決定装置。
【請求項３】
前記決定部は、受信対象の端末装置間の距離としきい値との比較結果をもとに、前記音声信号を受信すべき受信対象の端末装置を決定することを特徴とする請求項２に記載の決定装置。
【請求項４】
前記決定部は、受信対象の端末装置に設定されている音声信号の再生音量をもとにしきい値を変更することを特徴とする請求項３に記載の決定装置。
【請求項５】
前記決定部は、受信対象の端末装置における音声信号の再生方法をもとにしきい値を変更することを特徴とする請求項３または４に記載の決定装置。
【請求項６】
前記決定部は、受信対象の端末装置の周辺の環境音量をもとにしきい値を変更することを特徴とする請求項３から５のいずれかに記載の決定装置。
【請求項７】
前記決定部は、受信対象の端末装置を使用するユーザの聴覚特性情報をもとにしきい値を変更することを特徴とする請求項３から６のいずれかに記載の決定装置。
【請求項８】
前記決定部は、受信対象の端末装置の電池残量をもとに、受信対象の端末装置を決定することを特徴とする請求項３から７のいずれかに記載の決定装置。
【請求項９】
前記決定部は、受信対象の端末装置における前記音声信号の再生に関する処理として、受信対象の端末装置が音声信号を受信した場合に実行すべき処理内容を決定することを特徴とする請求項１に記載の決定装置。
【請求項１０】
所定のグループへの音声信号の送信要求を受けつける入力部と、
所定のグループに属する複数の端末装置から、送信要求を出力した端末装置を除いた受信対象の端末装置と、各受信対象の端末装置を使用するユーザとの間の距離をもとに、受信対象の端末装置における前記音声信号の再生に関する処理を決定する決定部と、
を備えることを特徴とする決定装置。
【請求項１１】
所定のグループへの音声信号の送信要求を受けつけるステップと、
所定のグループに属する複数の端末装置から、送信要求を出力した端末装置を除いた受信対象の端末装置間の距離をもとに、受信対象の端末装置における前記音声信号の再生に関する処理を決定するステップと、
を備えることを特徴とする決定方法。
【請求項１２】
所定のグループへの音声信号の送信要求を受けつけるステップと、
所定のグループに属する複数の端末装置から、送信要求を出力した端末装置を除いた受信対象の端末装置と、各受信対象の端末装置を使用するユーザとの間の距離をもとに、受信対象の端末装置における前記音声信号の再生に関する処理を決定するステップと、
を備えることを特徴とする決定方法。
【発明の詳細な説明】
【技術分野】
【０００１】
本発明は、通信技術に関し、特に音声信号の再生に関する処理を決定する決定装置、決定方法に関する。
【背景技術】
【０００２】
円滑なグループ通話を実現するために、少なくとも位置情報を使って送話者と受話者の距離を測定することによって、同一のグループに属する端末装置の中から、接続すべき端末装置を選択する。これによって、送話者近傍の端末装置における受信が抑制されるので、通話の明瞭性が高められる（例えば、特許文献１参照）。
【先行技術文献】
【特許文献】
【０００３】
【特許文献１】特開２００７−９６８３８号公報
【発明の概要】
【発明が解決しようとする課題】
【０００４】
先行技術文献では、送話者と受話者との距離は考慮されているが、受話者どうしの距離は考慮されていない。互いに近傍に存在する複数の端末装置が同一の音声を再生する場合、周囲の音声によって明瞭に聞き取りにくくなる。音声を再生する際に、端末装置毎に異なった遅延が生じる場合、音声はさらに聞き取りにくくなる。また、同一グループに属するすべての端末装置が音声を再生するので、すべての端末装置の電力が消費されてしまう。
【０００５】
本発明はこうした状況に鑑みてなされたものであり、その目的は、グループ通話の受信端末における音声信号の再生に関する処理を適切に決定する技術を提供することである。
【課題を解決するための手段】
【０００６】
上記課題を解決するために、本発明のある態様の決定装置は、所定のグループへの音声信号の送信要求を受けつける入力部と、所定のグループに属する複数の端末装置から、送信要求を出力した端末装置を除いた受信対象の端末装置間の距離をもとに、受信対象の端末装置における音声信号の再生に関する処理を決定する決定部と、を備える。
【０００７】
本発明の別の態様もまた、決定装置である。この装置は、所定のグループへの音声信号の送信要求を受けつける入力部と、所定のグループに属する複数の端末装置から、送信要求を出力した端末装置を除いた受信対象の端末装置と、各受信対象の端末装置を使用するユーザとの間の距離をもとに、受信対象の端末装置における音声信号の再生に関する処理を決定する決定部と、を備える。
【０００８】
本発明のさらに別の態様は、決定方法である。この方法は、所定のグループへの音声信号の送信要求を受けつけるステップと、所定のグループに属する複数の端末装置から、送信要求を出力した端末装置を除いた受信対象の端末装置間の距離をもとに、受信対象の端末装置における音声信号の再生に関する処理を決定するステップと、を備える。
【０００９】
本発明のさらに別の態様もまた、決定方法である。この方法は、所定のグループへの音声信号の送信要求を受けつけるステップと、所定のグループに属する複数の端末装置から、送信要求を出力した端末装置を除いた受信対象の端末装置と、各受信対象の端末装置を使用するユーザとの間の距離をもとに、受信対象の端末装置における音声信号の再生に関する処理を決定するステップと、を備える。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、グループ通話の受信端末における音声信号の再生に関する処理を適切に決定できる。
【図面の簡単な説明】
【００１２】
【図１】実施例１に係る通信システムの構成を示す図である。
【図２】図１の端末装置の構成を示す図である。
【図３】図２の端末装置において生成される位置通知のデータ構造を示す図である。
【図４】図１の通話制御装置の構成を示す図である。
【図５】図４の記憶部に記憶されるデータベースのデータ構造を示す図である。
【図６】図４の記憶部に記憶される別のデータベースのデータ構造を示す図である。
【図７】図１に続く処理に関する通信システムの構成を示す図である。
【図８】図２の端末装置において生成されるグループ通話送信要求のデータ構造を示す図である。
【図９】図４の通話制御装置において生成される送信先特定通話のデータ構造を示す図である。
【図１０】図７に続く処理に関する通信システムの構成を示す図である。
【図１１】実施例１に係る通信システムによる通信手順を示すシーケンス図である。
【図１２】変形例１に係る記憶部に記憶されるデータベースのデータ構造を示す図である。
【図１３】変形例２に係る記憶部に記憶されるデータベースのデータ構造を示す図である。
【図１４】変形例３に係る記憶部に記憶されるデータベースのデータ構造を示す図である。
【図１５】変形例４に係る記憶部に記憶されるデータベースのデータ構造を示す図である。
【図１６】実施例２に係る通話制御装置において生成される送信先及び処理特定通話のデータ構造を示す図である。
【図１７】実施例２に係る通信システムによる通信手順を示すシーケンス図である。
【発明を実施するための形態】
【００１３】
（実施例１）
本発明を具体的に説明する前に、まず概要を述べる。本発明の実施例１は、複数の端末装置が含まれたグループにおいてグループ通話を実行する通信システムに関する。グループ通話は、例えば、ＰＴＴ（Ｐｕｓｈ  ｔｏ  Ｔａｌｋ）によってなされ、ＰＴＴでは、ユーザが、ボタンを押下して会話を開始し、会話終了時にボタンを解放する。また、グループ中の１つの端末装置が音声信号を送信し、グループ中の他の端末装置が音声データを受信する。そのため、同一グループに属する複数の端末装置のそれぞれを携帯するユーザが、各端末装置が再生する音声が十分に聞こえる距離に存在する場合でも、複数の端末装置のすべてが音声を再生する。これによって、同じ音声が複数個所から聞こえてくるため、ユーザは音声を聞き取りにくくなる。端末装置固有の音声再生遅延が発生した場合は、音声の再生タイミングが異なるので、ユーザは音声をさらに聞き取りにくくなる。また、同一グループに属するすべての端末装置が音声を再生するので、すべての端末装置の電力が消費されてしまう。これに対応するため本実施例では、受信対象の端末装置間の距離をもとに、音声信号を送信すべき受信対象の端末装置を選択する。
【００１４】
図１は、通信システム１００の構成を示す。通信システム１００は、端末装置１０と総称される第１端末装置１０ａ、第２端末装置１０ｂ、第３端末装置１０ｃ、第４端末装置１０ｄ、第５端末装置１０ｅ、通話制御装置２０を含む。ここで、端末装置１０の数は「５」に限定されない。通信システム１００には、図示しない基地局装置が含まれる。基地局装置は、端末装置１０との間で無線通信を実行するとともに、通話制御装置２０との間で有線通信を実行する。そのため、基地局装置は、端末装置１０と通話制御装置２０との間の通信を中継する。このような通信システム１００の一例は業務用無線である。
【００１５】
各端末装置１０には、端末装置１０を識別するための識別情報（以下、「ＵＩＤ」という）が付与される。例えば、第１端末装置１０ａのＵＩＤは「１」であり、第２端末装置１０ｂのＵＩＤは「２」であり、第３端末装置１０ｃのＵＩＤは「３」である。さらに、複数の端末装置１０によってグループが形成される。各グループには、グループを識別するための識別情報（以下、「ＧＩＤ」という）が付与される。例えば、第１端末装置１０ａから第５端末装置１０ｅに対して「ＧＩＤ＝１」が設定される。各端末装置１０は、位置情報を取得し、位置情報が含まれた位置通知２００を通話制御装置２０に送信する。このような処理は定期的になされる。通話制御装置２０は、各端末装置１０からの位置通知２００を受信し、各端末装置１０の位置情報を管理する。
【００１６】
図２は、端末装置１０の構成を示す。端末装置１０は、位置情報取得部３０、送信指示部３２、音声入力部３４、音声出力部３６、制御部３８、記憶部４０、通信部４２を含む。記憶部４０は、本端末装置１０を識別するためのＵＩＤ、ＧＩＤを予め記憶する。位置情報取得部３０は、例えばＧＰＳ（Ｇｌｏｂａｌ  Ｐｏｓｉｔｉｏｎｉｎｇ  Ｓｙｓｔｅｍ）電波受信装置で構成され、端末装置１０の現在の位置情報を取得する。位置情報は、例えば、緯度、経度で構成される。
【００１７】
制御部３８は、位置通知２００を随時（例えば、１０秒毎）生成する。図３は、端末装置１０において生成される位置通知２００のデータ構造を示す。位置通知２００には、位置情報取得部３０において取得した位置情報が設定されるとともに、記憶部４０において記憶したＵＩＤが設定される。図２に戻る。通信部４２は、制御部３８において生成した位置通知２００を通話制御装置２０に送信する。図２における他の構成要素については後述する。
【００１８】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１９】
図４は、通話制御装置２０の構成を示す。通話制御装置２０は、通信部５０、決定装置６０を含む。決定装置６０は、入力部７０、記憶部７２、決定部７４、出力部７６を含む。通信部５０は、基地局装置を介して端末装置１０との通信を実行する。入力部７０は、通信部５０を介して各端末装置１０からの位置通知２００を随時（例えば、１０秒毎）受けつける。入力部７０は、位置通知２００を記憶部７２に出力する。
【００２０】
記憶部７２は、データベースを記憶する。図５は、記憶部７２に記憶されるデータベースのデータ構造を示す。データベース（以下、「位置データベース」という）では、各端末装置１０のＵＩＤと位置情報とが対応づけられている。位置データベースは、入力部７０から受けつけた位置通知２００をもとに生成される。図６は、記憶部７２に記憶される別のデータベースのデータ構造を示す。別のデータベース（以下、「ＧＩＤデータベース」という）では、グループのＧＩＤと、当該グループに属する端末装置１０のＵＩＤが対応づけられている。図４における他の構成要素については後述する。
【００２１】
図７は、図１に続く処理に関する通信システム１００の構成を示す。ここでは、第１端末装置１０ａが送信側の端末装置１０に相当し、他の端末装置１０が受信対象の端末装置１０に相当する。端末装置１０は、グループ通話を開始するためにグループ通話送信要求２０２を通話制御装置２０に送信する。図２において、端末装置１０の送信指示部３２は、例えばＰＴＴボタンで構成され、ユーザの操作により押下状態と解放状態（非押下状態）に切りかわる。音声入力部３４は、例えばマイクで構成され、ユーザの発話を集音し電気信号に変換する。
【００２２】
制御部３８は、送信指示部３２の押下状態を検知し、押下状態を検知している間、グループ通話送信要求２０２を生成する。図８は、端末装置１０において生成されるグループ通話送信要求２０２のデータ構造を示す。グループ通話送信要求２０２の送信元ＵＩＤには、記憶部４０で記憶されているＵＩＤが設定される。グループ通話送信要求２０２の送信元ＧＩＤには、記憶部４０で記憶されているＧＩＤが設定される。グループ通話送信要求２０２の音声情報には、音声入力部３４で変換された電気信号の情報が設定される。図２に戻る。通信部４２は、制御部３８において生成したグループ通話送信要求２０２を通話制御装置２０に送信する。
【００２３】
図４の通話制御装置２０の入力部７０は、通信部５０を介して端末装置１０、例えば、第１端末装置１０ａからのグループ通話送信要求２０２を受けつける。グループ通話送信要求２０２は、所定のグループへの音声信号の送信要求といえる。入力部７０がグループ通話送信要求２０２を受けつけた場合、決定部７４は、次の処理を実行する。
【００２４】
（１）決定部７４は、入力部７０からグループ通話送信要求２０２を受けつける。
（２）決定部７４は、記憶部７２に記憶したＧＩＤデータベースを参照しながら、入力したグループ通話送信要求２０２の送信先ＧＩＤのグループに属する端末装置１０のＵＩＤを特定する。例えば、グループ通話送信要求２０２の送信先ＧＩＤが１である場合、ＵＩＤとして１、２、３、４、５が特定される。
（３）上記（２）で特定したＵＩＤの中に、グループ通話送信要求２０２の送信元ＵＩＤが含まれる場合、決定部７４は、当該ＵＩＤを当該特定したＵＩＤから除外する。例えば、グループ通話送信要求２０２の送信元ＵＩＤが１である場合、特定されるＵＩＤは、２、３、４、５となる。
（４）上記（３）で特定したＵＩＤをもとに、決定部７４は、作成可能なすべての部分グループを特定する。前述の例の場合、(ａ）２、３、４、（ｂ）２、３、５、（ｃ）２、４、５、（ｄ）３、４、５、（ｅ）２、３、（ｆ）２、４、（ｇ）３、４、（ｈ）２、５、（ｉ）３、５、（ｊ）４、５、（ｋ）２、（ｌ）３、（ｍ）４、（ｎ）５の１５の部分グループが特定される。
【００２５】
（５）上記（４）で特定した部分グループ毎に決定部７４は以下の判定を行う。
（５−１）上記（３）で特定されたＵＩＤであり、かつ上記（４）で特定した各部分グループに含まれないＵＩＤを決定部７４が特定する。例えば、部分グループ「（ｉ）３、５」の場合は、ＵＩＤ２、４が特定される。
（５−２）決定部７４は、位置データベースを参照して、上記（５−１）で特定された各ＵＩＤに対応する各位置情報で示される位置が、当該部分グループに含まれる各ＵＩＤに対応する各位置情報のいずれかからしきい値以内にあるか否か判定する。しきい値は、例えば、３ｍである。このようなしきい値は、図７において第２端末装置１０ｂに対して第２判定範囲１２ｂとして示される。第３判定範囲１２ｃから第５判定範囲１２ｅも同様である。例えば、位置情報２が、位置情報３または位置情報５から所定の距離３ｍ以内にあるか否か判定される。また、位置情報４が、位置情報３または位置情報５から所定の距離３ｍ以内にあるか否か判定される。
（５−３）決定部７４は、上記（５−２）の判定において、すべての判定がしきい値以内にあると判定された部分グループを特定する。例えば、部分グループ「（ｉ）３、５」が特定される。
【００２６】
（６）決定部７４は、上記（５−３）で特定された部分グループに含まれるＵＩＤを送信先ＵＩＤとして決定する。例えば、送信先ＵＩＤを３、５に決定する。なお、（５−３）で特定された部分グループが複数ある場合、所定の条件に基づき（例えば、含まれるＵＩＤが少ない部分グループ）、決定部７４は、１つの部分グループを特定し、上記送信先ＵＩＤを決定する。なお、端末装置１０は電池残量を定期的に通話制御装置２０に送信し、記憶部７２は各端末装置１０の電池残量を記憶してもよく、決定部７４は、受信対象の端末装置１０の電池残量をもとに、受信対象の端末装置１０を決定してもよい。その際、電池残量の少ない受信対象の端末装置１０が選択されないようにする。
【００２７】
つまり、決定部７４は、所定のグループに属する複数の端末装置１０から、送信要求を出力した端末装置１０を除いた受信対象の端末装置１０間の距離をもとに、音声信号を受信すべき受信対象の端末装置１０を決定する。ここで、音声信号を受信すべき受信対象の端末装置１０を決定することは、受信対象の端末装置１０における音声信号の再生に関する処理を決定することに相当する。なお、音声信号を受信すべき受信対象の端末装置１０を決定するために、受信対象の端末装置１０間の距離としきい値との比較結果が使用される。送信要求を出力した端末装置１０を除いた受信対象の端末装置１０間の距離は、前述の例によれば、位置情報２と位置情報３の距離、位置情報２と位置情報４の距離、位置情報２と位置情報５の距離、位置情報３と位置情報４の距離、位置情報３と位置情報５の距離、位置情報４と位置情報５の距離と示される。
【００２８】
（７）決定部７４は、送信先特定通話２０４を生成する。図９は、通話制御装置２０において生成される送信先特定通話２０４のデータ構造を示す。送信先特定通話２０４は、１または複数の送信先の端末装置１０を特定する送信先ＵＩＤと、音声情報とを含んで構成される。決定部７４は、送信先特定通話２０４の送信先ＵＩＤｓに、上記（６）で決定された送信先ＵＩＤを設定する。例えば、３、５が設定される。また、決定部７４は、送信先特定通話２０４の音声情報に、入力した音声情報を設定する。図４に戻る。出力部７６は、決定部７４で生成された送信先特定通話２０４を通信部５０に出力し、通信部５０は、送信先特定通話２０４を基地局装置を介して送信、例えばブロードキャスト送信する。
【００２９】
図１０は、図７に続く処理に関する通信システム１００の構成を示す。通話制御装置２０は、前述のごとく、送信先特定通話２０４をブロードキャスト送信するが、その宛先は第３端末装置１０ｃと第５端末装置１０ｅである。図２の端末装置１０の通信部４２は、通話制御装置２０から送信先特定通話２０４を受信する。制御部３８は、通信部４２で受信した送信先特定通話２０４の送信先ＵＩＤｓを入力する。制御部３８は、送信先ＵＩＤｓに設定されているＵＩＤのいずれか１つが、記憶部４０に記憶されているＵＩＤと一致するかを判定する。一致する場合、制御部３８は、送信先特定通話２０４の音声情報を入力する。なお、一致しない場合、制御部３８は、送信先特定通話２０４の音声情報を入力しない。音声出力部３６は、例えばスピーカで構成される。音声出力部３６は、制御部３８で音声情報を入力した時、当該音声情報に基づく音声を再生する。
【００３０】
以上の構成による通信システム１００の動作を説明する。図１１は、通信システム１００による通信手順を示すシーケンス図である。第１端末装置１０ａから第５端末装置１０ｅは、通話制御装置２０に位置通知２００を送信する（Ｓ１０〜Ｓ１８）。通話制御装置２０は、位置情報を記憶する（Ｓ２０）。第１端末装置１０ａは、グループ通話送信要求２０２を通話制御装置２０に送信する（Ｓ２２）。通話制御装置２０は、送信先特定通話２０４を生成する（Ｓ２４）。通話制御装置２０は、第１端末装置１０ａから第５端末装置１０ｅへ送信先特定通話２０４をブロードキャスト送信する（Ｓ２６〜Ｓ３４）。第１端末装置１０ａから第５端末装置１０ｅはＵＩＤ一致判定を実行する（Ｓ３６〜Ｓ４４）。第３端末装置１０ｃは音声を再生し（Ｓ４６）、第５端末装置１０ｅは音声を再生する（Ｓ４８）。
【００３１】
これまで、決定部７４は、受信対象の端末装置１０間の距離と、しきい値とを比較することによって、音声信号を受信すべき受信対象の端末装置１０を決定している。その際、しきい値は固定値とされている。状況に応じて、決定すべき受信対象の端末装置１０を調節するために、しきい値は可変であってもよい。以下では、しきい値を可変とすることについての変形例を説明する。
【００３２】
（変形例１）
図２において、各端末装置１０の制御部３８は、音声出力部３６において設定されている音声信号の再生音量に関する情報（以下、「音量設定情報」という）を取得する。また、制御部３８は、通信部４２を介して通話制御装置２０に音量設定情報を送信する。図４において、通話制御装置２０の通信部５０は、各端末装置１０からの音量設定情報を受信する。記憶部７２は、入力部７０を介して各端末装置１０からの音量設定情報を受けつけ、これを記憶する。図１２は、記憶部７２に記憶されるデータベースのデータ構造を示す。位置データベースに対して音量設定情報が追加される。例えば、音量設定情報の値が大きくなるほど、再生音量が大きくなる。図４に戻る。決定部７４は、上記（５−２）において、当該部分グループに含まれるＵＩＤの端末装置１０に設定されている音声信号の再生音量をもとにしきい値を変更する。例えば、再生音量が大きくなるほど、しきい値が大きくされる。
【００３３】
（変形例２）
図２において、各端末装置１０の制御部３８は、音声出力部３６において設定されている音声信号の再生方法に関する情報（以下、「再生方法情報」という）を取得する。ここで、音声信号の再生方法は、例えば、「ヘッドセット」、「スピーカ」である。また、制御部３８は、通信部４２を介して通話制御装置２０に再生方法情報を送信する。図４において、通話制御装置２０の通信部５０は、各端末装置１０からの再生方法情報を受信する。記憶部７２は、入力部７０を介して各端末装置１０からの再生方法情報を受けつけ、これを記憶する。図１３は、記憶部７２に記憶されるデータベースのデータ構造を示す。位置データベースに対して再生方法情報が追加される。例えば、ヘッドセットあるいはスピーカが示される。図４に戻る。決定部７４は、上記（５−２）において、当該部分グループに含まれるＵＩＤの端末装置１０に設定されている音声信号の再生方法をもとにしきい値を変更する。例えば、スピーカであれば３ｍに設定され、ヘッドセットであれば０ｍに設定される。
【００３４】
（変形例３）
図２において、各端末装置１０の制御部３８は、音声入力部３４を介して端末装置１０の周辺の環境音を取得する。また、制御部３８は、環境音の音量をもとに、環境音量に関する情報（以下、「環境音量情報」という）を生成する。また、制御部３８は、通信部４２を介して通話制御装置２０に環境音量情報を送信する。図４において、通話制御装置２０の通信部５０は、各端末装置１０からの環境音量情報を受信する。記憶部７２は、入力部７０を介して各端末装置１０からの環境音量情報を受けつけ、これを記憶する。図１４は、記憶部７２に記憶されるデータベースのデータ構造を示す。位置データベースに対して環境音量情報が追加される。例えば、環境音量情報の値が大きくなるほど、環境音量が大きくなる。環境音量が大きい状況は、雑音の多い状況に相当する。図４に戻る。決定部７４は、上記（５−２）において、受信対象の端末装置１０の周辺の環境音量をもとにしきい値を変更する。例えば、環境音量が大きくなるほど、しきい値が小さくされる。
【００３５】
（変形例４）
図４において、通話制御装置２０の記憶部７２には、受信対象の端末装置１０を使用するユーザの聴覚特性情報が記憶される。図１５は、記憶部７２に記憶されるデータベースのデータ構造を示す。位置データベースに対して聴覚特性情報が追加される。例えば、聴覚特性情報として、耳で聞き取れる最小の音の音圧レベル（最小可聴値）が示される。図４に戻る。決定部７４は、上記（５−２）において、受信対象の端末装置１０を使用するユーザの聴覚特性情報をもとにしきい値を変更する。例えば、最小可聴値が小さいほどしきい値を大きく、最小可聴値が大きいほどしきい値を小さくする。なお、ここでは、（５−１）で特定されたＵＩＤの端末装置１０に対する聴覚特性情報が使用される。
【００３６】
本実施例によれば、所定のグループに属する複数の端末装置から、送信要求を出力した端末装置を除いた受信対象の端末装置間の距離をもとに、受信対象の端末装置における音声信号の再生に関する処理を決定するので、受信対象の端末装置間の距離に応じた処理を実行できる。また、受信対象の端末装置間の距離に応じた処理が実行されるので、音声信号を受信すべき受信対象の端末装置を選択できる。また、音声信号を受信すべき受信対象の端末装置が選択されるので、近傍に存在する複数の端末装置から音声が出力される状況の発生を抑制できる。また、近傍に存在する複数の端末装置から音声が出力される状況の発生が抑制されるので、グループ通話における聞き取りにくさを抑制できる。また、限定された端末装置から音声再生されるため、音声を聞き取りやすくできる。また、限定から外れた端末装置は、音声再生されないため、電力を節約できる。
【００３７】
また、受信対象の端末装置間の距離としきい値とを比較すればよいので、処理を簡易にできる。また、受信対象の端末装置に設定されている音声信号の再生音量をもとにしきい値を変更するので、状況に応じて選択すべき端末装置の範囲を変更できる。また、受信対象の端末装置における音声信号の再生方法をもとにしきい値を変更するので、状況に応じて選択すべき端末装置の範囲を変更できる。また、受信対象の端末装置の周辺の環境音量をもとにしきい値を変更するので、状況に応じて選択すべき端末装置の範囲を変更できる。また、受信対象の端末装置を使用するユーザの聴覚特性情報をもとにしきい値を変更するので、状況に応じて選択すべき端末装置の範囲を変更できる。また、受信対象の端末装置の電池残量をもとに、受信対象の端末装置を決定するので、電池残量の少ない受信対象の端末装置での再生を回避しやすくできる。また、電池残量の少ない受信対象の端末装置での再生が回避しやすくなるので、そのような端末装置の駆動時間を長くできる。
【００３８】
（実施例２）
次に実施例２を説明する。実施例２は、実施例１と同様に、複数の端末装置が含まれたグループにおいてグループ通話を実行する通信システムに関し、受信対象の端末装置間の距離をもとに、音声信号を送信すべき受信対象の端末装置を選択する。実施例２では、受信対象の端末装置が音声信号を受信した場合に実行すべき処理内容も決定する。実施例２に係る通信システム１００は、図１、図７、図１０と同様のタイプであり、端末装置１０は図２と同様のタイプであり、通話制御装置２０は図４と同様のタイプである。ここでは、実施例１との差異を中心に説明する。
【００３９】
図４の通話制御装置２０の記憶部７２は、図１２と同様のデータベースを記憶する。決定部７４は、実施例１と同様の処理によって、音声信号を受信すべき受信対象の端末装置１０を決定した後、当該受信対象の端末装置１０が音声信号を受信した場合に実行すべき処理内容を決定する。このような、受信対象の端末装置１０が音声信号を受信した場合に実行すべき処理内容を決定することも、受信対象の端末装置１０における音声信号の再生に関する処理を決定することに相当する。受信対象の端末装置１０が音声信号を受信した場合に実行すべき処理内容とは、例えば、音量が所定値以下である場合に、音量を増加させる指示を生成することである。
【００４０】
決定部７４は、送信先及び処理特定通話２０６を生成する。図１６は、通話制御装置２０において生成される送信先及び処理特定通話２０６のデータ構造を示す。送信先及び処理特定通話２０６は、実施例１と同様に、送信先ＵＩＤと音声情報とを含んで構成される。さらに、送信先及び処理特定通話２０６には、端末装置１０に対する処理方法が示される。ここで、「３０増加」とは、音声出力部３６において音声を出力する際の音量を「３０」増加させる指示を示す。図４に戻る。出力部７６は、決定部７４で生成された送信先及び処理特定通話２０６を通信部５０に出力し、通信部５０は、送信先及び処理特定通話２０６を基地局装置を介して送信、例えばブロードキャスト送信する。
【００４１】
図２の端末装置１０の制御部３８は、送信先ＵＩＤｓに設定されているＵＩＤのいずれか１つが、記憶部４０に記憶されているＵＩＤと一致する場合、送信先及び処理特定通話２０６の音声情報を入力する。また、制御部３８は、送信先及び処理特定通話２０６における処理方法であって、かつ記憶部４０に記憶されているＵＩＤに対応した処理方法が音量の増減を示しているかを確認する。増減を示している場合、制御部３８は、それに応じて音声出力部３６の音量を増減させる。音声出力部３６は、設定された音量によって音声情報に基づく音声を再生する。
【００４２】
以上の構成による通信システム１００の動作を説明する。図１７は、通信システム１００による通信手順を示すシーケンス図である。第１端末装置１０ａから第５端末装置１０ｅは、通話制御装置２０に位置通知２００を送信する（Ｓ１００〜Ｓ１０８）。通話制御装置２０は、位置情報を記憶する（Ｓ１１０）。第１端末装置１０ａは、グループ通話送信要求２０２を通話制御装置２０に送信する（Ｓ１１２）。通話制御装置２０は、送信先及び処理特定通話２０６を生成する（Ｓ１１４）。通話制御装置２０は、第１端末装置１０ａから第５端末装置１０ｅへ送信先及び処理特定通話２０６をブロードキャスト送信する（Ｓ１１６〜Ｓ１２４）。第１端末装置１０ａから第５端末装置１０ｅはＵＩＤ一致判定を実行する（Ｓ１２６〜Ｓ１３４）。第３端末装置１０ｃは音量を増加し（Ｓ１３６）、音声を再生する（Ｓ１３８）。第５端末装置１０ｅは音声を再生する（Ｓ１４０）。
【００４３】
本実施例によれば、受信対象の端末装置が音声信号を受信した場合に実行すべき処理内容を決定するので、決定した処理内容に応じた処理を受信対象の端末装置に実行させることができる。また、決定した処理内容に応じた処理を受信対象の端末装置に実行させるので、音声信号を再生すべき端末装置を理想的に選択できる。
【００４４】
（実施例３）
次に実施例３を説明する。実施例３は、これまでと同様に、複数の端末装置が含まれたグループにおいてグループ通話を実行する通信システムに関し、音声信号を送信すべき受信対象の端末装置を選択する。これまでは、受信対象の端末装置間の距離をもとに選択がなされている。一方、実施例３では、音声を出力する受信対象の端末装置と、当該端末装置とは別の端末装置を使用するユーザとの距離をもとに選択がなされる。実施例３に係る通信システム１００は、図１、図７、図１０と同様のタイプであり、端末装置１０は図２と同様のタイプであり、通話制御装置２０は図４と同様のタイプである。ここでは、これまでとの差異を中心に説明する。
【００４５】
通信システム１００に含まれた端末装置１０を使用するユーザは、自己の位置情報を測定可能な装置を携帯する。当該装置において測定された位置情報は、通話制御装置２０に送信される。図４の通話制御装置２０の記憶部７２には、位置データベースにおいて、各ユーザの位置情報も記憶される。決定部７４は、前述の（５−１）において特定したＵＩＤに対応した位置情報を（５−２）で使用する際に、当該ＵＩＤに対応した端末装置１０の位置情報ではなく、当該ＵＩＤに対応した端末装置１０を携帯するユーザの位置情報を使用する。これ以外の処理はこれまでと同様であるので、ここでは説明を省略する。つまり、決定部７４は、所定のグループに属する複数の端末装置１０から、送信要求を出力した端末装置１０を除いた受信対象の端末装置１０と、各受信対象の端末装置１０を使用するユーザとの間の距離をもとに、受信対象の端末装置１０における音声信号の再生に関する処理を決定するといえる。
【００４６】
本実施例によれば、受信対象の端末装置と、他の端末装置を使用するユーザとの間の距離をもとに、受信対象の端末装置における音声信号の再生に関する処理を決定するので、ユーザにおける実際の聞こえやすさを反映できる。
【００４７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４８】
本実施例１乃至３において、通信システム１００は、業務用無線を使用している。しかしながらこれに限らず例えば、業務用無線以外の無線通信システムが使用されてもよい。本実施例によれば、構成の自由度を向上できる。
【００４９】
本実施例１乃至３において、決定装置６０は通話制御装置２０に含まれている。しかしながらこれに限らず例えば、決定装置６０は端末装置１０に含まれてもよい。この場合、複数の端末装置１０は互いに位置情報を収集するとともに、送信先特定通話２０４あるいは送信先及び処理特定通話２０６を生成して送信する。また、通話制御装置２０は不要となる。本実施例によれば、構成の自由度を向上できる。
【符号の説明】
【００５０】
１０  端末装置、  １２  判定範囲、  ２０  通話制御装置、  ３０  位置情報取得部、  ３２  送信指示部、  ３４  音声入力部、  ３６  音声出力部、  ３８  制御部、  ４０  記憶部、  ４２，５０  通信部、  ６０  決定装置、  ７０  入力部、  ７２  記憶部、  ７４  決定部、  ７６  出力部、  １００  通信システム。
【図１】
2018148329.tif 000003
【図２】
2018148329.tif 000004
【図３】
2018148329.tif 000005
【図４】
2018148329.tif 000006
【図５】
2018148329.tif 000007
【図６】
2018148329.tif 000008
【図７】
2018148329.tif 000009
【図８】
2018148329.tif 000010
【図９】
2018148329.tif 000011
【図１０】
2018148329.tif 000012
【図１１】
2018148329.tif 000013
【図１２】
2018148329.tif 000014
【図１３】
2018148329.tif 000015
【図１４】
2018148329.tif 000016
【図１５】
2018148329.tif 000017
【図１６】
2018148329.tif 000018
【図１７】
2018148329.tif 000019